(57)【要約】  【課題】  許可なき第三者による、開閉式端末装置の開閉を防止（ロック）することで、表示部等の破損防止、ひいては、携帯電話機等に記憶された情報の流出を防止する。  【解決手段】  携帯電話機４１は、ロック機構部１を有し、それが携帯電話機４１の開閉を物理的にロックする。そして、制御部４が、記憶部５に記憶されたロック解除暗号と、入力部６（外部キー入力部８）によって入力されたロック解除暗号（入力情報）とを照合することで、このロックのＯＮ（ロックの設定）／ＯＦＦ（ロックの解除）を制御する。【選択図】      図１
2005149168.tif 000002
【特許請求の範囲】
【請求項１】
第１筐体と第２筐体とが相対的に移動することで開閉する開閉式端末装置において、
上記の第１筐体と第２筐体との開閉動作を不動とするロックを行うロック機構部と、
上記ロック機構部によるロックの設定またはロックの解除を制御する制御部と、
上記のロックの解除のための条件となるロック解除情報を記憶する記憶部と、
入力操作を行うために、上記の第１筐体または第２筐体の外装に設けられた入力部とを備えており、
上記制御部は、上記入力部からの入力情報と、上記記憶部のロック解除情報とを照合し、合致する場合には上記ロック機構部によるロックを解除し、合致しない場合には上記ロック機構部によるロックを設定することを特徴とする開閉式端末装置。
【請求項２】
外部に放音する放音部をさらに備え、
上記制御部は、上記入力部からの入力情報と、上記記憶部のロック解除情報とを照合し、合致する場合には上記放音部から承認音を放音させ、合致しない場合には上記放音部から警告音を放音させることを特徴とする請求項１に記載の開閉式端末装置。
【請求項３】
上記の第１筐体と第２筐体とが開けられたときに、上記ロック機構部へ加わる圧力を検出するロック圧力検出部をさらに備えるとともに、
上記記憶部は、上記ロック圧力検出部に所定以上の圧力が加わったことを判定する閾値を記憶しており、
上記制御部は、上記ロック機構部によるロックの設定を行った場合、上記閾値と上記ロック圧力検出部の検出値とを比較し、さらに、上記検出値が上記閾値を超えたと判定したときには、上記放音部から警告音を放音させることを特徴とする請求項２に記載の開閉式端末装置。
【請求項４】
上記の第１筐体または第２筐体の外装に、情報開示のための表示部をさらに備え、
上記制御部は、上記ロック機構部によるロックの設定を行った場合、上記閾値と上記ロック圧力検出部の検出値とを比較し、さらに、上記検出値が上記閾値を超えたと判定したときには、上記表示部に警告画像を表示させることを特徴とする請求項３に記載の開閉式端末装置。
【請求項５】
上記制御部は、上記ロック機構部によるロックの設定を行った場合、上記表示部に、ロックの設定がなされている旨を示す情報を表示させることを特徴とする請求項４に記載の開閉式端末装置。
【請求項６】
上記制御部は、上記ロック機構部によるロックの設定を行った場合、上記閾値と上記ロック圧力検出部の検出値とを比較し、さらに、上記検出値が上記閾値を超えたと判定したときには、その時刻を上記記憶部に記憶させることを特徴とする請求項３〜５のいずれか１項に記載の開閉式端末装置。
【請求項７】
外部画像を撮影するための撮影部をさらに備え、
上記制御部は、上記ロック機構部によるロックの設定を行った場合、上記閾値と上記ロック圧力検出部の検出値とを比較し、さらに、上記検出値が上記閾値を超えたと判定したときには、上記撮影部に外部画像を撮影させることを特徴とする請求項３〜６のいずれか１項に記載の開閉式端末装置。
【請求項８】
上記の第１筐体と第２筐体とが閉じられたことを検知する開閉認識部をさらに備え、
上記制御部は、上記記憶部にロック解除情報が記憶されている場合に、上記開閉認識部が閉じられていることを検知すれば、上記ロック機構部によるロックの設定を行うことを特徴とする請求項１〜７のいずれか１項に記載の開閉式端末装置。
【請求項９】
上記入力部は、複数設けられており、これらの入力部の入力順によって、上記ロック解除情報が構成されていることを特徴とする請求項１〜８のいずれか１項に記載の開閉式端末装置。
【発明の詳細な説明】
【技術分野】
【０００１】
本発明は、例えば折畳むことで開閉できる折り畳み式の携帯電話機や、ノート型パーソナルコンピュータなど、筐体に開閉機構を有する開閉式端末装置に関するものである。
【背景技術】
【０００２】
従来から、開閉式端末装置の一種である携帯電話機等が種々提案されている。このような携帯電話機等は、持ち運びができるため大変便利である反面、持ち運び先にて第三者による不正な使用（不当行為）、例えばいたずら電話に使用されたり、個人情報を盗まれたりする場合がある。
【０００３】
そこで、このような不正な使用を防止すべく、ダイヤルロック機能を備えた携帯電話機等が存在する。このダイヤルロック機能とは、携帯電話機等の入力部（プッシュボタン等）から制御部にダイヤルロックを指示すると、入力操作等を行うことができなくなる機能であり、再度入力操作等を行うためには、入力部からロック解除コード（暗証番号）を入力する必要がある。
【０００４】
また、上記ロック解除コードの入力の煩わしさを解消すべく、特許文献１では、ユーザーがロック解除装置を所持することで、そのロック解除装置から一定範囲内であれば、ロック解除コードを入力することなく使用できる携帯電話機等も存在する。
【特許文献１】特開平９−６４９６７号公報（請求項１、段落〔０００５〕参照）
【発明の開示】
【発明が解決しようとする課題】
【０００５】
しかしながら、上記特許文献１では、許可なき第三者による入力部の操作を無効にすることはできるものの、携帯電話機等の開閉自体を防止することまではできない。したがって、第三者により携帯電話機等の表示部（液晶表示パネル等）を傷つけられたり、その液晶表示パネルに表示されたプライベートな画像（例えば携帯電話機の壁紙等）を見られたりする問題が生じる。
【０００６】
本発明は、上記の問題点を解決するためになされたものであって、その目的は、許可なき第三者によって、携帯電話機等の開閉式端末装置の開閉自体を防止（ロック）することで、表示部等の破損防止、ひいては、携帯電話機等に記憶された情報の流出を防止できる開閉式端末装置を提供することにある。
【課題を解決するための手段】
【０００７】
本発明の開閉式端末装置は、第１筐体と第２筐体とが相対的に移動することで開閉する開閉式端末装置であって、上記の第１筐体と第２筐体との開閉動作を不動とするロックを行うロック機構部と、上記ロック機構部によるロックの設定またはロックの解除を制御する制御部と、上記のロックの解除のための条件となるロック解除情報を記憶する記憶部と、入力操作を行うために、上記の第１筐体または第２筐体の外装に設けられた入力部とを備えており、上記制御部は、上記入力部からの入力情報と、上記記憶部のロック解除情報とを照合し、合致する場合には上記ロック機構部によるロックを解除し、合致しない場合には上記ロック機構部によるロックを設定することを特徴としている。
【０００８】
これによると、ロック機構部を有することから、開閉式端末装置の開閉を物理的にロックすることができる。その上、制御部が、あらかじめ記憶部に記憶されたロック解除情報と、入力部によって入力された入力情報とを照合する。そして、その照合結果に応じて、ロックの設定またはロックの解除を制御できる。
【０００９】
そのため、正確なロック解除情報を知り得ない第三者は、開閉式端末装置を自由に開閉することはできない。その結果、開閉式端末装置の開閉面に位置する、例えば表示部の破損を防止することができる。また、開閉できないことから、開閉式端末装置に記憶されている種々の情報の流出を防止できる。
【００１０】
また、本発明の開閉式端末装置では、外部に放音する放音部をさらに備え、上記制御部は、上記入力部からの入力情報と、上記記憶部のロック解除情報とを照合し、合致する場合には上記放音部から承認音を放音させ、合致しない場合には上記放音部から警告音を放音させることが好ましい。
【００１１】
これによると、ユーザーが自ら入力したロック解除情報が正しいときには、開閉式端末装置を開けられることを放音部からの承認音（解除音）により、直ちに認識することができる。一方、正確なロック解除情報を知らない第三者は、放音部からの警告音により、開閉式端末装置を開けることができないことを直ちに認識することになる。また、警告音から、その開閉式端末装置の周囲にいる人間に、自らの行為が不当なものであることを音声で知られることにもなる。
【００１２】
また、本発明の開閉式端末装置では、上記の第１筐体と第２筐体とが開けられたときに、上記ロック機構部へ加わる圧力を検出するロック圧力検出部をさらに備えるとともに、上記記憶部は、上記ロック圧力検出部に所定以上の圧力が加わったことを判定する閾値を記憶しており、上記制御部は、上記ロック機構部によるロックの設定を行った場合、上記閾値と上記ロック圧力検出部の検出値とを比較し、さらに、上記検出値が上記閾値を超えたと判定したときには、上記放音部から警告音を放音させることが好ましい。
【００１３】
例えば、第三者が正確なロック解除情報を知らないがゆえに、強引に開閉式端末装置を開けようとすると、ロック圧力検出部に所定以上の圧力が加わることになる。そこで、制御部は、この加えられた圧力が所定以上の大きさであると判定したとき、すなわち閾値よりも大きな圧力が加わると、放音部から警告音を放音させる。その結果、第三者は、開閉式端末装置を開けることができないことを直ちに認識することになる。また、その開閉式端末装置の周囲にいる人間に、自らの行為が不当なものであることを音声で知られることにもなる。
【００１４】
また、本発明の開閉式端末装置では、上記の第１筐体または第２筐体の外装に、情報開示のための表示部をさらに備え、上記制御部は、上記ロック機構部によるロックの設定を行った場合、上記閾値と上記ロック圧力検出部の検出値とを比較し、さらに、上記検出値が上記閾値を超えたと判定したときには、上記表示部に警告画像を表示させることが好ましい。
【００１５】
これによると、正確なロック解除情報を知らない第三者は、開閉式端末装置を開けることができないことを視覚的に認識することになる。
【００１６】
また、本発明の開閉式端末装置では、上記制御部は、上記ロック機構部によるロックの設定を行った場合、上記表示部に、ロックの設定がなされている旨を示す情報を表示させることが好ましい。
【００１７】
これによると、ユーザーは自らの開閉式端末装置が許可なき第三者に容易に開けられない状態であることを認識することができる。また、第三者も、その開閉式端末装置には、ロック機構があり、簡単に開閉できないことを知ることにもなる。
【００１８】
また、本発明の開閉式端末装置では、上記制御部は、上記ロック機構部によるロックの設定を行った場合、上記閾値と上記ロック圧力検出部の検出値とを比較し、さらに、上記検出値が上記閾値を超えたと判定したときには、その時刻を上記記憶部に記憶させることが好ましい。
【００１９】
これによると、ユーザーは、自らの開閉式端末装置を無断で開けられようとした時刻を知ることができ、その開けようとした第三者を特定するときの参考材料を入手することができる。
【００２０】
また、本発明の開閉式端末装置では、外部画像を撮影するための撮影部をさらに備え、上記制御部は、上記ロック機構部によるロックの設定を行った場合、上記閾値と上記ロック圧力検出部の検出値とを比較し、さらに、上記検出値が上記閾値を超えたと判定したときには、上記撮影部に外部画像を撮影させることが好ましい。
【００２１】
これによると、ユーザーは、自分の開閉式端末装置を無断で開けようとした第三者を外部画像により直接特定することができる。
【００２２】
また、本発明の開閉式端末装置では、上記の第１筐体と第２筐体とが閉じられたことを検知する開閉認識部をさらに備え、上記制御部は、上記記憶部にロック解除情報が記憶されている場合に、上記開閉認識部が閉じられていることを検知すれば、上記ロック機構部によるロックの設定を行うことが好ましい。
【００２３】
これによると、ユーザーは開閉式端末装置を閉じる前に、毎回ロック解除情報を記憶部に記憶させる必要はなくなる。つまり、いったんロック解除情報を記憶させれば、それ以後、開閉式端末装置を閉じるだけで、許可なき第三者からの不当行為から開閉式端末装置を守ることができる。
【００２４】
また、本発明の開閉式端末装置では、上記入力部が、複数設けられており、これらの入力部の入力順によって、上記ロック解除情報が構成されていることが好ましい。
【００２５】
これによると、例えば２個の入力部が設けられている場合に、ロック解除情報を１０桁の番号とすれば、１０２４（２10）個の番号（１０２４パターン）のうちの一つがロック解除情報となる。また、３個の入力部が設けられている場合に、ロック解除情報を７桁の番号とすれば、２１８７（３7）個の番号（２１８７パターン）のうちの一つがロック解除情報となる。つまり、入力部を複数設けると、ロック解除情報の桁数を削減させながらも、ロック解除情報のパターン数を維持することができる。
【発明の効果】
【００２６】
本発明によると、ロック機構部が開閉式端末装置の開閉を物理的にロックすることになり、その上、制御部が、あらかじめ記憶部に記憶されたロック解除情報と、入力部によって入力された入力情報とを照合し、その照合結果に応じて、ロックの設定またはロックの解除を制御できる。
【００２７】
そのため、正確なロック解除情報を知り得ない第三者は、開閉式端末装置を自由に開閉することはできない。その結果、開閉式端末装置の開閉面に位置する表示部等の破損を防止することができ、ひいては、開閉式端末装置に記憶されている種々の情報の流出を防止できる。
【発明を実施するための最良の形態】
【００２８】
本発明の実施の一形態について、図面に基づいて説明すれば、以下の通りである。
【００２９】
図２・図３は、本発明における開閉式端末装置（折り畳み式端末装置）の一例となる折畳み式携帯電話機（以下、単に携帯電話機と略称する）の外観構成を示す斜視図および側面図である。この携帯電話機４１は、第１の筐体（第１筐体）３１と、第２の筐体（第２筐体）３２とがヒンジ部３３により相対的に開閉可能（回動可能）に支持されたものである。
【００３０】
上記のヒンジ部３３は、ヒンジ部３３ａ（第１分割ヒンジ部）とヒンジ部３３ｂ（第２分割ヒンジ部）とで構成されている。このヒンジ部３３ａは、第１の筐体３１と連続して形成されており、ヒンジ部３３ｂは、第２の筐体３２と連続して形成されている。これらヒンジ部３３ａ・３３ｂは、回動軸が同軸であり、かつ、互いに摺動するように設けられている。なお、第１の筐体と第２の筐体との開閉方式は、上記の回動するものに限定されることはなく、例えばスライド式や、リボルバー式のものであってもよい。
【００３１】
そして、第１の筐体３１の外装面（外側面）には、後述する第２表示部（サブディスプレイ部）１３が設けられており、かつ、第１の筐体３１の側面には、後述する第１外部キー入力部・第２外部キー入力部（第１サイドキー・第２サイドキー）８ａ・８ｂが設けられている。なお、上記のサブディスプレイ部１３、および第１・第２外部キー入力部８ａ・８ｂは、第２の筐体３２に設けられていても構わない。
【００３２】
次に、携帯電話機（クラムシェル型携帯電話機）４１の詳細な構成について説明する。図１は、携帯電話機４１の詳細な構成を示すブロック図である。この携帯電話機４１は、アンテナ１６、無線部１７、制御部４、表示部１１（第１表示部１２・第２表示部１３）、入力部６（内部キー入力部７・外部キー入力部８）、スピーカー（放音部）２２、マイク２３、カメラ部（撮影部）２４、開閉認識部（クラムシェル部）１５、ロック機構部１、ロック圧力検出部２、および記憶部５から構成されている。
【００３３】
無線部１７は、アンテナ１６を介して外部機器からの電波（情報）を受信および送信するための通信回路である。これにより、外部機器との音声信号の送受信やインターネット通信、電子メールの送受信が可能となっている。
【００３４】
制御部４は、無線部１７、記憶部５、入力部６、開閉認識部１５、カメラ部２４、マイク２３、およびロック圧力検出部２等からの信号（情報）を処理するとともに、表示部１１、スピーカー２２、ロック機構部１、および記憶部５等に信号を送信（供給）するものであり、各部の動作制御を行うものである。また、記憶部５の記憶情報（ロック解除情報）と、入力部６からの入力情報（ロック解除情報）とを照合することもできる（詳細は後述）。
【００３５】
表示部１１は、入力部６からの入力操作に応じた情報（入力情報）を表示したり、ユーザーに通知すべき情報を表示したりするディスプレイである。そして、この表示部１１は、第１表示部（メインディスプレイ部）１２と第２表示部（サブディスプレイ部）１３とから構成されている。
【００３６】
メインディスプレイ部１２は、携帯電話機４１を用いて通話するとき、すなわち携帯電話機４１が開かれたときに視認できる位置、例えば第１筐体３１の開閉面（内側面）に設けられている。一方、サブディスプレイ部１３は、携帯電話機４１で通話しないとき、すなわち携帯電話機４１が閉じられたときでも視認できる位置、例えば第１筐体３１の外装面（外側面）に設けられている。
【００３７】
入力部６は、ユーザーが情報の入力操作を行うための複数のキーやレバー等で構成された入力部である。そして、この入力部６は、内部キー入力部７と外部キー入力部８とから構成されている。
【００３８】
内部キー入力部７は、携帯電話機４１を開いて電話番号の入力等を行うものであり、例えば第２筐体３２の開閉面（内側面）に設けられている（図２参照）。一方、外部キー入力部８は、携帯電話機４１が閉じられているとき、後述するロック解除暗号（ロック解除情報）等を入力するものであり、例えば第１筐体３１の外装における側面に設けられている。そして、この外部キー入力部８は、例えば複数の入力部（第１・第２外部キー入力部８ａ・８ｂ）によって構成されていることが好ましい（図３参照）。
【００３９】
スピーカー２２は、制御部４にて処理された信号を音声として外部に放音するものである。マイク２３は、外部音声を集音して、その音声情報を制御部４に送信するものである。カメラ部２４は、外部画像を撮影してその画像情報を制御部４に送信するものである。
【００４０】
開閉認識部（クラムシェル部）１５は、携帯電話機４１が開かれているか、または、閉じられているかを認識するものであり、その認識結果を制御部４に通知（送信）するものである。
【００４１】
ロック機構部１は、本発明の最も特徴的な部分であり、閉じられた携帯電話機４１を開かないようにロックするものであり、具体的には、ヒンジ部３３ａ・３３ｂによる摺動を不可能にするものである（図２参照）。
【００４２】
例えば、ヒンジ部３３ａに設けられた凹部と、ヒンジ部３３ｂに設けられた凸部とが係合する（係わり合う）ことで、両ヒンジ部３３ａ・３３ｂの摺動を防止（ロック）するものが挙げられる。また、第１の筐体３１の開閉面（内側面）と、第２の筐体の開閉面（内側面）とに互いに係合する係合部を設けて、これらが係合することで、両筐体３１・３２の相対的移動を防止するものも挙げられる。
【００４３】
ロック圧力検出部２は、携帯電話機４１を開けようとするとき、すなわち第１の筐体３１と第２の筐体３２とが相対的に移動するときにロック機構部１に加わる圧力を検出するセンサーである。
【００４４】
記憶部５は、入力部６（内部キー入力部７・外部キー入力部８）にて入力された情報（例えばロック解除情報）や、外部との通信により送受信された情報を記憶するメモリである。また、記憶部５は、ロック圧力検出部２に所定以上の圧力が加わったか否かを判定するための閾値を記憶している。
【００４５】
なお、ロック解除暗号（ロック解除情報）とは、携帯電話機４１を開閉させるための暗号であり（ロックの解除のための条件となる情報（暗号）であり）、あらかじめ、ユーザーが入力部６（例えば内部キー入力部７）を用いて、記憶部５に記憶させた情報や、携帯電話機４１を開けるときに、ユーザーが入力部６（例えば外部キー入力部８）を用いて、入力する情報を意味する。
【００４６】
次に、本発明の開閉式端末装置（例えば携帯電話機４１）における特徴的な機能、開閉ロックモード（クラムシェルロックモード）について説明する。
【００４７】
開閉ロックモード（ロックの設定および解除）とは、許可なき第三者に携帯電話機４１を開閉させないようにするための機能である。具体的には、制御部４が、あらかじめ設定されたロック解除暗号の入力をもって、初めて携帯電話機４１の開閉を可能とする機能である。以下、この機能を作動させるときの各部の動作を図４・図５のフローチャートおよび図１を用いて説明する。なお、以下では、動作のステップをＳと記載して説明する。
【００４８】
まず、携帯電話機４１を開かないようにさせる場合（ロックを設定する場合）には、先ずユーザーが、例えば内部キー入力部７を用いて、ロック解除暗号を設定（入力）する（Ｓ１１）。すると、このロック解除暗号を構成する信号を制御部４が受信する。次に、制御部４は、上記のロック解除暗号を構成する信号を記憶部５に送信する。すると、記憶部５はその信号、すなわちロック解除暗号を保存（記憶）する（Ｓ１２）。
【００４９】
そして、ロック解除暗号が記憶された後に、ユーザーが携帯電話機４１を閉じると（Ｓ１３）、その閉じられていることを開閉認識部１５が認識し、その旨を信号として制御部４に送信する。すると、制御部４は、携帯電話機４１を開けなくするように、すなわち開閉をロックする旨を信号としてロック機構部１に送信する。その結果、その信号を受信したロック機構部１は、ヒンジ部３３の回動を防止（ロック）する（Ｓ１４）。
【００５０】
なお、Ｓ１１にて、ロック解除暗号が設定されていない場合、あらためて、ユーザーはロック解除暗号を設定する必要がある。また、Ｓ１３にて、携帯電話機４１が閉じられていない場合、あらためて、ユーザーは、携帯電話機４１を閉じる必要がある。
【００５１】
次に、携帯電話機４１を開けようとする場合（ロックを解除する場合）には、先ず制御部４は、上述のロックの設定がなされているか否かについて判断する（Ｓ２１）。そして、ユーザーが、閉じられた状態の携帯電話機４１でも入力可能な、例えば外部キー入力部８（第１・第２外部キー入力部８ａ・８ｂ）を用いて、ロック解除暗号を入力する。すると、このロック解除暗号を構成する信号を制御部４が受信する。そして、制御部４は、この信号と、記憶部５に保存されているロック解除暗号の信号とを照合する（Ｓ２２）。
【００５２】
その結果、ロック解除暗号が一致していれば、制御部４は、ロック機構部１に、開閉のロックを解除する旨の信号を送信する。そして、その信号を受信したロック機構部１は、ロックを解除する（Ｓ２３）。一方、ロック解除信号が不一致であれば、制御部４は、ロック機構部１に、ロックを解除する旨の信号を送信しない。そのため、ロック機構部１が、ロックを解除することはない。すなわち、継続的に携帯電話機４１の閉じられた状態を維持することができる。したがって、携帯電話機４１を開こうとする場合、ユーザーは再度、正確なロック解除暗号（あらかじめ記憶されたロック解除暗号と合致するロック解除暗号（入力情報））を入力する必要がある。
【００５３】
なお、Ｓ２１にて、ロック設定がなされていない場合、ユーザーの自由意志に応じて、ロックの設定を行うことができる（＃１）。
【００５４】
以上のように、本発明の開閉式端末装置（例えば携帯電話機４１）では、ロック機構部１を有することから、携帯電話機４１の開閉を物理的にロックすることができる。そして、制御部４が、記憶部５に記憶されたロック解除暗号と、入力部６（特に、外部キー入力部８）によって入力されたロック解除暗号（入力情報）とを照合することで、このロックのＯＮ（ロックの設定）／ＯＦＦ（ロックの解除）を制御できる。そのため、正確なロック解除暗号を知り得ない第三者は、自由に携帯電話機４１を開閉することはできない。その結果、携帯電話機４１の開閉面（例えば第１の筐体３１の開閉面）に位置する第１表示部（メインディスプレイ部）１２の破損防止、ひいては、携帯電話機４１等に記憶された情報の流出を防止できる。
【００５５】
また、第三者による携帯電話機４１の開閉行為を防止できることから、携帯電話機４１の不必要な電力消費を防止することもできる。その上、第三者に見られたくないプライベートな画像等を携帯電話機４１の第１表示部（メインディスプレイ部）１２の壁紙に設定することもできる。
【００５６】
ここで、本発明の携帯電話機４１における制御部４の種々の機能について、説明する。
【００５７】
制御部４は、外部キー入力部８（入力部６）から入力したロック解除暗号（入力情報）と、記憶部５に記憶されたロック解除暗号とを照合し、合致している場合には、スピーカー２２からロックの解除がなされた旨を明らかにする音（解除音）を放音させるようになっている。一方、合致しない場合には、スピーカー２２から警告音（エラー音）を放音させるようになっている。
【００５８】
そのため、ユーザーは、自ら入力したロック解除暗号が正しく、携帯電話機４１を開けられることを解除音（承認音）により、直ちに認識することができる。一方、ロック解除暗号を知らない第三者は、携帯電話機４１を開けられないことを直ちに認識するだけではなく、携帯電話機４１の周囲にいる人間に、自らの行為が不当なものであることを知られることにもなる。
【００５９】
また、制御部４は、ロック機構部１によりロックの設定がなされている場合にもかかわらず、第１の筐体３１と第２の筐体３２とが強引に開けられようとしたとき、すなわち携帯電話機４１が無断で開けられようとしたとき、スピーカー２２から警告音を放音させるようになっている。
【００６０】
具体的には、ロック圧力検出部２が、携帯電話機４１を開けようとするときに加わる圧力、すなわちロック機構部１へ加わる圧力を検出し、その圧力値（検出値）を構成する信号を制御部４に送信する。すると、制御部４は、その圧力値があらかじめ記憶部５に記憶されている閾値（所定以上の圧力が加わったか否か判定する値）と比較する。そして、その圧力値が閾値を超えたと判定したときには、制御部４は、スピーカー２２に警告音を放音するように制御している。
【００６１】
これにより、正確なロック解除暗号を知らない第三者は、携帯電話機４１を開けることができないことを直ちに認識するだけではなく、携帯電話機４１の周囲にいる人間に、自らの行為が不当なものであることを知られることにもなる。
【００６２】
また、制御部４は、ロック機構部１によりロックの設定がなされている場合にもかかわらず、携帯電話機４１が強引に開けられようとしたとき、第２表示部１３（表示部１１）に、図６に示すような警告画像を表示させるようになっている。つまり、上述同様、ロック圧力検出部２の圧力値が閾値を超えていれば、制御部４が、第２表示部１３（表示部１１）に警告画像を表示させるように制御している。
【００６３】
これにより、正確なロック解除暗号を知らない第三者は、携帯電話機４１を開けることができないことを視覚的に認識することになる。
【００６４】
また、制御部４は、ロック機構部１によりロックの設定がなされている場合、第２表示部１３（表示部１１）に、その旨、つまり、ロック設定が行われていることを示す情報を表示させるようになっている。
【００６５】
これにより、ユーザーは、自らの携帯電話機４１が許可なき第三者に容易に開けられない状態であることを認識することができる。また、第三者も、その携帯電話機４１には、ロック機構があり、簡単に開閉できないことを知ることになる。
【００６６】
また、制御部４は、ロック機構部１によりロックの設定がなされている場合にもかかわらず、携帯電話機４１が強引に開けられようとしたとき、その開けられようとした時刻を記憶部５に記憶させるようになっている。
【００６７】
具体的には、上述同様、あらかじめ記憶部５に記憶されている閾値よりも大きな圧力値をロック圧力検出部２が検出したときには、制御部４が、その時刻を記録したテキストファイルを作成し、そのテキストファイルを記憶部５に保存（記憶）させるようになっている。
【００６８】
これにより、ユーザーは、自らの携帯電話機４１を無断で開けられようとした時刻をしることができ、その開けようとした第三者を特定するための参考材料を入手することができる。
【００６９】
また、制御部４は、ロック機構部１によりロックの設定がなされている場合にもかかわらず、携帯電話機４１が強引に開けられようとしたとき、つまり、上述同様、ロック圧力検出部２の圧力値が閾値を超えていれば、カメラ部２４に携帯電話機４１を開けようとした人物（外部画像）を撮影させるようになっている。これにより、携帯電話機４１を無断で開けようとした第三者を直接特定することができる。
【００７０】
また、本発明の携帯電話機４１では、開閉認識部１５を備えている。そして、この開閉認識部１５による認識結果、すなわち携帯電話機４１が開かれているか、または、閉じられているかの認識結果は、制御部４に通知（送信）されるようになっている。そして、制御部４は記憶部５にロック解除暗号が記憶されている場合に、開閉認識部１５からの認識結果が、閉じられている旨を意味するものであれば、ロック機構部１により、第１の筐体３１と第２の筐体３２との相対的移動、すなわち携帯電話機４１の開閉動作を不動とする（ロックの設定を行う）。
【００７１】
その結果、ユーザーは携帯電話機４１を閉じる前に、毎回ロック解除暗号を記憶部５に記憶させる必要はなくなる。つまり、いったんロック解除暗号を記憶させれば、それ以後、携帯電話機４１を閉じるだけで、許可なき第三者からの不当行為から携帯電話機４１を守ることができる。
【００７２】
また、本発明の携帯電話機４１では、外部キー入力部８（入力部６）は、複数設けられており、これらの外部キー入力部８の入力順によって、ロック解除暗号が構成されている。
【００７３】
例えば、第１外部キー入力部８ａ（ｋ１）、第２外部キー入力部８ｂ（ｋ２）の２個の外部キー入力部８が、携帯電話機４１の外装に設けられている場合、ロック解除暗号を１０桁の番号とすれば、１０２４（２10）個の番号（１０２４パターン）のうちの一つがロック解除暗号となる。したがって、外部キー入力部８（８ａ・８ｂ（ｋ１・ｋ２））を、例えば、ｋ１・ｋ２・ｋ１・ｋ１・ｋ２・ｋ１・ｋ１・ｋ１・ｋ２・ｋ１と押す（入力する）ことによって、ロック解除暗号とすることができる。
【００７４】
また、第１・第２・第３外部キー入力部（ｋ１・ｋ２・ｋ３）を設けた場合に、ロック解除暗号を７桁の番号とすれば、２１８７（３7）個の番号（２１８７パターン）のうちの一つがロック解除暗号となる。したがって、外部キー入力部８（ｋ１・ｋ２・ｋ３）を、例えば、ｋ１・ｋ２・ｋ３・ｋ３・ｋ２・ｋ１・ｋ１と押すことによって、ロック解除暗号とすることができる。
【００７５】
このように、外部キー入力部８を複数設けると、ロック解除暗号の桁数を削減させながらも、ロック解除暗号のパターン数をある程度維持することができる。なお、ロック解除暗号は、上述のように必ず複数の外部キー入力部８の入力順によって構成されるものに限らない。例えば、１個の外部キー入力部であっても、押すタイミングの違い等によってもロック解除暗号が構成されていてもよい。
【００７６】
なお、本発明は上記の実施の形態に限定されず、本発明の趣旨を逸脱しない範囲で、種々の変更が可能である。例えば、携帯電話機以外にも、ノート型パーソナルコンピュータやＰＤＡ（Personal Digital(Data) Assistants）等にも利用できることはいうまでもない。
【００７７】
また、本発明の開閉式端末装置を下記のように表現することもできる。
本発明の開閉式端末装置は、クラムシェル構造を有する開閉式端末装置（例えば携帯電話機）であって、クラムシェルを開くことを防ぐ機構部と、携帯電話を閉じた状態でも操作することが可能な入力部とにより、クラムシェル構造を有する携帯電話を物理的に開くことを不可能とするロックを行い、入力部を操作することによりロックの解除が可能となる開閉式端末装置ともいえる。
【００７８】
また、本発明の開閉式端末装置は、ロック状態の携帯電話を強引に開けようとしたときに、警報音が鳴る機能を有した開閉式端末装置ともいえる。
【００７９】
また、本発明の開閉式端末装置は、ロック状態の携帯電話を強引に開けようとしたときに、サブ液晶（サブディスプレイ部）に警報画像を表示する機能を有した開閉式端末装置ともいえる。
【００８０】
また、本発明の開閉式端末装置は、ロック状態の携帯電話を強引に開けようとしたときに、開けられようとした時刻を履歴として保存する機能を有した開閉式端末装置ともいえる。
【００８１】
また、本発明の開閉式端末装置は、ロック状態の携帯電話を強引に開けようとしたときに、カメラの撮影を行う機能を有した開閉式端末装置ともいえる。
【００８２】
また、本発明の開閉式端末装置は、クラムシェル型の携帯電話を閉じたことを検出し、物理的なロックの開始を行うことを可能とした開閉式端末装置ともいえる。
【００８３】
また、本発明の開閉式端末装置は、ロック状態を識別するためにサブ液晶にロックを示す画像を表示する機能を有した開閉式端末装置ともいえる。
【００８４】
また、本発明の開閉式端末装置は、暗証番号の入力が終了した際に暗証番号が合っていれば解除音を、間違っていればエラー音をスピーカーから出す機能を有する開閉式端末装置ともいえる。
【産業上の利用可能性】
【００８５】
本発明は、例えば折り畳み式の携帯電話機等の開閉することで使用可能となる開閉式端末装置に有用である。
【図面の簡単な説明】
【００８６】
【図１】は、本発明の開閉式端末装置（例えば折り畳み式携帯電話機）の詳細な構成を示すブロック図である。
【図２】は、本発明の開閉式端末装置の一例である折り畳み式携帯電話機の外観構成を示す斜視図である。
【図３】は、本発明の開閉式端末装置の一例である折り畳み式携帯電話機の外観構成を示す側面図である。
【図４】は、本発明の開閉式端末装置での開閉ロックモードにて、ロックの設定を行うときの動作を示すフローチャートである。
【図５】は、本発明の開閉式端末装置での開閉ロックモードにて、ロックの解除を行うときの動作を示すフローチャートである。
【図６】は、本発明の開閉式端末装置における第２表示部の平面図である。
【符号の説明】
【００８７】
１    ロック機構部
２    ロック圧力検出部
４    制御部
５    記憶部
６    入力部
７    入力部（内部キー入力部）
８    入力部（外部キー入力部）
８ａ  外部キー入力部（第１外部キー入力部）
８ｂ  外部キー入力部（第２外部キー入力部）
１１    表示部
１２    表示部（第１表示部）
１３    表示部（第２表示部）
１５    開閉認識部
２２    スピーカー（放音部）
２４    カメラ部（撮影部）
【図１】
2005149168.tif 000003
【図２】
2005149168.tif 000004
【図３】
2005149168.tif 000005
【図４】
2005149168.tif 000006
【図５】
2005149168.tif 000007
【図６】
2005149168.tif 000008